(57)【要約】  消費者物品のための容器は、消費者物品を収容するボックスから成る。ボックスは、ボックス前部壁、ボックス後部壁、およびボックス上部壁を備える。リッドは、ボックスの残りの部分から少なくとも部分的に分離可能なように、ボックス前部壁内およびボックス上部壁内の分離線によって画定され、ボックスの残りの部分から分離すると、リッドはヒンジ線を中心として、容器のアクセス開口部を通して容器から消費財を取り出すことができる開位置と、容器の内部にアクセスできない閉位置との間で回転可能になる。容器は、ボックス前部壁の少なくとも一部分の下にあり、かつこれに取り付けられた内側前方パネルをさらに備える。内側前方パネルは、リッドがボックスから少なくとも部分的に分離されている時にリッドを開放可能に閉位置に保つための再閉鎖手段を備える。【選択図】図３
2017532259.tif 000002
【特許請求の範囲】
【請求項１】
消費者物品のための容器であって、前記容器が、
前記消費者物品を収容するためのボックスであって、ボックス前部壁と、ボックス後部壁と、ボックス上部壁と、を備える、ボックスを備え、
リッドが前記ボックスの残りの部分から少なくとも部分的に分離可能なように、前記ボックス前部壁内および前記ボックス上部壁内の分離線によって前記リッドが画定され、前記ボックスの前記残りの部分から分離すると、前記リッドはヒンジ線を中心として、前記容器のアクセス開口部を通して前記容器から消費財を取り出すことができる開位置と、前記容器の内部にアクセスできない閉位置との間で回転可能になり、
また前記容器が、前記ボックス前部壁の少なくとも一部分の下にありかつこれに取り付けられた内側前方パネルをさらに備え、前記内側前方パネルが、前記リッドが前記ボックスから少なくとも部分的に分離されている時に前記リッドを開放可能に閉位置に保つための再閉鎖手段を備える、容器。
【請求項２】
前記ボックスがボックス底部壁を備え、前記内側前方パネルが前記ボックス底部壁から折り目に沿って従属する、請求項１に記載の容器。
【請求項３】
前記ボックス上部壁が、内側上部パネルおよび外側上部パネルから形成され、前記内側上部パネルと外側上部パネルとが互いに重なって取り付けられ、前記外側上部パネルが折り目に沿って前記ボックス後部壁から従属し、また前記内側前方パネルが折り目に沿って前記内側上部パネルから従属し、前記分離線が少なくとも前記外側上部パネルを横切って延びる、請求項１に記載の容器。
【請求項４】
前記容器が単一の層状ブランクから形成される、請求項１〜３のいずれか１項に記載の容器。
【請求項５】
内側フレームをさらに備え、前記内側前方パネルが前記内側フレームの前方パネルによって少なくとも部分的に画定される、請求項１に記載の容器。
【請求項６】
前記再閉鎖手段が前記内側前方パネル内に形成されたスリットまたはスロットを備え、かつ前記リッドの遠位端を開放可能に受容し保持するように適合された、請求項１〜５のいずれか１項に記載の容器。
【請求項７】
前記再閉鎖手段が、フックアンドループファスナーを備える、請求項１〜５のいずれか１項に記載の容器。
【請求項８】
前記再閉鎖手段が磁気保持手段を備える、請求項１〜５のいずれか１項に記載の容器。
【請求項９】
前記内側前方パネルが前記第一のリッド上部パネルに隣接する切り抜きを備え、こうして前記アクセス開口部を少なくとも部分的に画定する、請求項１〜８のいずれか１項に記載の容器。
【請求項１０】
前記内側上部パネルが、前記リッドを前記内側上部パネルの残りの部分から分離するための虚弱線を備える、請求項３〜９のいずれか１項に記載の容器。
【請求項１１】
１つ以上の喫煙物品を含有する、請求項１〜１０のいずれか１項に記載の容器。
【請求項１２】
請求項１に記載の消費者物品のための容器を形成するための層状ブランクであって、前記ブランクが、
前記容器のボックス部分を形成するためのボックス画定ブランク部分を備え、
前記ボックス画定ブランク部分が、前記容器のボックス後部壁を形成するための後部壁パネルと、前記容器のボックス前部壁を形成するための前部壁パネルと、前記容器の上部壁を形成するための上部壁パネルと、前記容器の底部壁を形成するための底部壁パネルと、を備え
前記ボックス画定部分が、前記ボックス画定部分からタブを分離可能でありヒンジ線に沿って前記後部壁パネルに従属するリッドを形成するように、前記前部壁パネルおよび前記上部壁パネルを横切って延びる分離線を備え、
前記ブランクが、前記リッドの遠位端を開放可能に再閉鎖するための手段を備える第二の前方パネルをさらに備えるブランク。
【請求項１３】
前記第二の前方パネルが折り目に沿って前記底部壁パネルに従属する、請求項１２に記載のブランク。
【請求項１４】
前記上部壁パネルが折り目に沿って前記前部壁パネルに従属し、前記ブランクが、折り目に沿って前記後部壁パネルに従属する上部壁強化パネルをさらに備え、また前記第二の前方パネルが折り目に沿って前記強化パネルに従属する、請求項１２に記載のブランク。
【請求項１５】
前記再閉鎖手段が前記第二の前方パネル内に形成されたスリットまたはスロットを備え、かつ前記タブの遠位端を開放可能に受容し保持するように適合される、請求項１２〜１４のいずれか１項に記載のブランク。
【発明の詳細な説明】
【技術分野】
【０００１】
発明は、喫煙物品などの細長い消費者物品用の容器としての特定の用途がある斬新な容器に関する。例えば、本発明による容器は、紙巻たばこを収容するために使用されうる。
【背景技術】
【０００２】
折り畳まれた層状ブランクから形成される容器内に消費者物品を包装することは周知である。例として、紙巻たばこおよび葉巻たばこなどの細長い喫煙物品は、通常ボックス部分および容器の後方壁を横切って延びるヒンジ線を中心としてボックスに接続するリッドを持つボックス形状の容器に入って販売される。こうした容器は一般に、一片の層状の厚紙ブランクから構成される。一部の場合では、容器は消費者物品の周りを少なくとも部分的に包装する内側フレームをさらに含む。これは、容器に対してさらなる剛直性を提供し、かつ消費者物品を保護しうる。使用時、消費者はヒンジ線を中心としてリッドを回転して、ボックス部分内に保持されている物品へのアクセスを得る。
【０００３】
紙巻たばこおよびその他の消費者物品を包装するために一般に使用される容器は、通常外側ラッパー内に包装される。外側ラッパーは、リッドの前部壁の下縁端の下方に、通常容器の周りに位置付けられたティアストリップを含み、これによりいったんティアテープが取り除かれるとリッドが第一のヒンジ線の周りを自由に回転する。こうして、ティアストリップは、不正開封防止機能を提供する場合があり、いったんティアストリップが除去されると外側ラッパーを再閉鎖することはできない。あるいは外側ラッパーまたは内側フレームは、初めて容器を開けることができるために消費者が破壊する必要があるシールステッカーまたは結合部を含んでもよい。ティアストリップと同様に、シールテープまたは結合部は不正開封防止機能を提供する場合があり、いったん破壊されるとこれらをその最初の状態に戻すことはできない。
【発明の概要】
【発明が解決しようとする課題】
【０００４】
不正開封防止機能は、製品が製造者から出荷された時点での本来の製品の品質を消費者に保証するため、望ましい特徴である。同時に、上述のものなどの不正開封防止機能の手段を提供することには、閉鎖した包装の不正開封を思いとどまらせる効果が期待される。ところが、これらの不正開封防止手段の利点を利用できるには、容器は外側ラッパーもしくは内側フレーム付き、または再閉鎖可能なラベル（例えば、自己接着性ラベル）付きで提供する必要がある。特に、再閉鎖可能なラベルの内側フレームを提供することで、初めて容器が開けられると容器の精密かつしっかりとした再閉鎖が必要になる。
【０００５】
内側フレームがなく、また自己接着性ラベルを行使しなくても、容器の精密かつしっかりとした再閉鎖が可能になり、一方で容器が不正開封された場合には直ちにそして簡単に明らかになるような、改善された消費者物品のための不正開封防止容器を提供することが望ましい。さらに、このような改善された容器のために、その製造が単純でかつコスト効果が高くなるブランクを提供することが望ましい。
【課題を解決するための手段】
【０００６】
本発明の第一の態様によると、消費者物品用の容器が提供され、容器は消費者物品を収容するためのボックスを備える。ボックスは、ボックス前部壁、ボックス後部壁、およびボックス上部壁を備える。リッドがボックスの残りの部分から少なくとも部分的に分離可能なように、リッドはボックス前部壁内でかつボックス上部壁内の分離線によって画定される。ボックスの残りの部分から分離されると、リッドはヒンジ線を中心として、容器のアクセス開口部を通して容器から消費財を取り出すことができる開位置と、容器の内部にアクセスできない閉位置との間で回転可能になる。容器は、ボックス前部壁の少なくとも一部分の下にある内側前方パネルをさらに備える。内側前方パネルがボックス前部壁の少なくとも一部分に取り付けられることが好ましい。内側前方パネルは、リッドがボックスから少なくとも部分的に分離されている時にリッドを開放可能に閉位置に保つための再閉鎖手段を備える。
【０００７】
本発明の第二の態様によれば、消費者物品のための容器を形成するための層状ブランクが提供される。ブランクは、容器のボックス部分を形成するためのボックス画定ブランク部分を備える。ボックス画定ブランク部分は、容器のボックス後部壁を形成するための後部壁パネルと、容器のボックス前部壁を形成するための前部壁パネルと、容器の上部壁を形成するための上部壁パネルと、容器の底部壁を形成するための底部壁パネルと、を備える。ボックス画定部分は、タブが前記ボックス画定部分から取り外し可能になってヒンジ線に沿って後部壁パネルに従属するリッドを形成するように、前部壁パネルおよび上部壁パネルを横切って延びる分離線を備える。ブランクは、リッドの遠位端を開放可能に再閉鎖するための手段を備える第二の前方パネルをさらに備える。
【０００８】
当然のことながら、本発明の一態様を参照して記述した任意の特徴は、本発明のその他の任意の態様にも等しく適用できる。さらに、本発明の一態様に関連して記述した利点は、本発明の別の態様に適用されうる。
【０００９】
本発明による容器の構成要素の相対的位置を描写するために使用される「前部」、「後部」、「上部」、「下部」、「上方」、「下方」、「側面」、「左方」、「右方」、「側方」、「頂部」、「底部」という用語およびその他の用語は、ボックス部分の開放端が上部にあり、消費財が前部の上端部からアクセス可能な、直立位置にある容器について言及するものである。「側面」および「側方」という用語は、容器をその直立位置で前部から見たときの容器の側壁に言及して使用される。
【００１０】
「長軸方向」という用語は容器の底部から頂部またはその反対の方向に言及する。「横断する」という用語は、長軸方向と実質的に直角をなす方向に言及する。
【００１１】
「パネル」という用語は、組み立てられた容器の壁を形成するために使用されるブランクの一部分に言及するために本明細書を通して使用される。パネルは、１つ以上の折り目に沿って１つ以上の他のパネルに従属してもよい。「折り目」という用語は、２つの隣接するパネルの間の折り曲げに言及する。容器を形成する時、容器の端部またはその部分を画定しうる隣接するパネルは、その共通の折り目に沿って折り曲げられる。組み立てられた容器では、「壁」は１つのパネルまたは相互に付着した（例えば、接着剤によって）いくつかの重なったパネルで形成されてもよい。さらに、壁は２つ以上の隣接しているまたは重なっているパネルで形成されてもよい。
【００１２】
「ヒンジ線」という用語は、本明細書を通して、容器のリッド部分とボックス部分との両方に共通の線に言及するために使用され、これによりリッド部分は前記線を中心として閉位置と開位置との間で実質的に回転するように適合される。ヒンジ線は、ボックス上部壁の後部端からボックス上部壁の前部端までの任意の場所において、容器のボックス上部壁の幅にわたって延びてもよい。一部の実施形態では、ヒンジ線は実質的にボックス上部壁の後部端と一致してもよい。その他の実施形態では、ヒンジ線は、ボックス上部壁の後部端とボックス上部壁の前部端との間の中間の位置において容器のボックス上部壁の幅にわたって延びてもよい。
【００１３】
本明細書では「分離線」という用語は、紙または厚紙などの材料のシート内の線に言及するために使用され、この線に沿った一部の材料の除去によって材料はこの線に沿って弱くなる。これにより、シート材料を所望の線に沿って裂くまたは破壊することが容易になる。本発明による容器内の「分離線」は、例えば、横掛線、または穿孔、スリット、もしくは切り込みの線として提供されてもよい。好ましい実施形態では、「分離線」は、所定の間隔で分離した結合部で配置されたスリットまたは切り込みを有する線として提供され、その結果、初めて容器を開けるためには有限の比較的少ない数（２〜１０個）の結合部を破壊する必要がある。
【００１４】
「虚弱線」という用語は、本明細書では、紙または厚紙などの材料のシート内の線に言及して使用され、この線に沿った少なくとも材料の一部の除去によってその線に沿って材料が弱くなる。これにより、シートの一部分を所望の線に沿ってその残りの部分から分離することが容易になる。本発明による容器内の「虚弱線」は、例えば、横掛線、または穿孔、スリット、もしくは切り込みの線として提供されてもよい。一部の実施形態では、「虚弱線」は、所定の間隔で分離した結合部で配置されたスリットまたは切り込みを有する線として提供され、その結果、シートの一部分をその残りの部分から分離するために比較的少ない数（２〜１０個）の結合部を破壊する必要がある。好ましい実施形態では、「虚弱線」は、紙または厚紙などの材料のシート内の線であり、この線に沿った実質的にすべての材料の除去により、材料はその線に沿って弱くなる。例えば、「虚弱線」は事前に切り込みを入れた線として提供されてもよく、その結果、シートの一部分は既にシート材料の残りの部分から実質的に局所的に分離されている。
【００１５】
「遠位」および「近位」という用語は、本発明による容器の構成要素の位置をそれぞれの付着点または起源に対して記述するために使用される。より詳細には、「遠位」という用語は、その付着点または起源から離れた本発明による容器の構成要素を記述するために使用され、一方で「近位」という用語は、実質的にその付着点の隣または最も近くにある本発明による容器の構成要素を記述するために使用される。例として、折り目に沿ってパネルに従属するタブは、実質的に折り目に隣接して位置する近位部分から、折り目の反対側の状況にある遠位端へと延びる。
【００１６】
本発明による容器では、リッドは事実上、ボックス前部壁およびボックス上部壁の一部から形成される。こうして、製造の直後では容器の前面は実質的に平面である。これは、例えば、容器が包装装置内に運ばれる時またはより後の段階で、自動販売機内で引っかかりうる突出した要素が容器の前部にないために都合が良い。さらに、製造の直後にリッドは分離線に沿ってボックスに取り外し可能に接続され、また少なくとも部分的にボックスから分離された後にのみリッドは開位置と閉位置との間を回転することができるので、容器が以前に開かれたかどうかを消費者が点検することが簡単である。実際には、前方パネルの完全性はボックス部分からリッドがまだ分離されていないこと、したがって容器が不正開封されていないことを消費者に示すことになる。
【００１７】
使用時、消費者はヒンジ線を中心としてリッドを回転して、ボックス部分内に保持されている物品へのアクセスを得る。リッドが開位置にある時、一般に容器の上端部にあるアクセス開口部は、消費者にとってアクセス可能になる。リッドが閉位置にある時、容器のアクセス開口部はリッドによって少なくとも部分的に閉塞され、その結果、容器の内部にはアクセスできなくなり、消費者は消費財を容器から取り出すことができなくなる。容器はボックス前部壁パネルの下にある内部パネルを備え、かつリッドと、例えばリッドの遠位端で係合するように適合された再閉鎖手段を含む。これは、いったん開いた（すなわち、いったん分離線の「結合部」が破壊された）容器を安全に再閉鎖できるので都合が良い。さらに、内部パネル内に提供される再閉鎖手段がスリットまたはスロットを含むこれらの実施形態でさえ、製造の直後にリッドがスリットまたはスロットに重なり、ボックス前部壁パネルに取り外し可能に接続するので、容器が初めて開かれるまで消費財は直接外側環境に露出されない。こうして、外側環境へのあらゆる形態の露出から容器内の消費者物品を保護するために、容器の周りに外側ラッパーを提供することが厳密には必要ない場合がある。
【００１８】
本発明によると、容器のリッドはボックス前部壁およびボックス上部壁を横切って延びる分離線によって画定され、リッドはボックスの残り部分から少なくとも部分的に分離可能である。さらに、容器はボックス前部壁の下にある内側前方パネルを備え、リッドはこの内側前方パネルから実質的に形成されている。こうして、いったんボックスの残りの部分から分離されると、リッドは開位置と閉位置との間でヒンジ線を中心として回転可能であり、一方で消費者物品はボックス前部で依然として容器内に安全に保持される。内側前方パネル内での再閉鎖手段は、リッドと係合するように適合され、これによって容器を再閉鎖することができるようになる。
【００１９】
一部の実施形態では、ボックスはボックス底部壁を備え、内部前方パネルは折り目に沿って底部壁に従属する。
【００２０】
その他の実施形態では、ボックス上部壁は内側上部パネルおよび外側上部パネルから形成される。内側上部パネルと外側上部パネルとは互いに重なり合い付着している。外側上部パネルは折り目に沿ってボックス後部壁に従属し、一方で内側前方パネルは折り目に沿って内側上部パネルに従属し、分離線は少なくとも外側上部パネルを横切って延びる。一部の実施形態では、リッドがそれを中心に回転可能であるヒンジ線は、ボックス上部壁がそれを中心にボックス後部壁に従属する折り目と実質的に一致する。
【００２１】
容器は単一の層状ブランクで形成されることが好ましい。
【００２２】
一部の実施形態では、容器は内側フレームをさらに備え、内側前方パネルは内側フレームの前方パネルによって少なくとも部分的に画定される。これは、容器にさらなる剛直性を提供し、消費者物品を良好に保護しうる。
【００２３】
再閉鎖手段は、内側前方パネル内に形成され、かつリッドの遠位端を開放可能な形で受容し保持するように適合されたスリットまたはスロットを備えることが好ましい。代替として、再閉鎖手段はフックアンドループファスナーを含んでもよい。その他の実施形態では、再閉鎖手段は磁気保持手段として提供されてもよい。例えば、磁気インクのパッチが、内側前方パネルの外側とリッドの遠位端の内側との両方の部分の上に提供されてもよい。こうして、容器を初めて開いた後、またその後連続して再び開いた毎回後に、再閉鎖することができる。
【００２４】
内側前方パネルは第一のリッド上部パネルに隣接する切り抜きを備え、こうしてアクセス開口部を少なくとも部分的に画定することが好ましい。言い換えれば、内側前方パネルが折り目を中心として第一のリッド上部パネルに従属するこれらの実施形態では、前記折り目に近接する内側前方パネルの部分内に切り抜きが形成される。同様に、内側前方パネルが折り目に沿ってボックス底部壁に従属するこれらの実施形態では、内側前方パネルが少なくとも部分的に内側フレームの前方パネルによって画定される実施形態と同じように、内側前方パネルの上部部分に切り抜きが形成される。こうして、容器がまだ初めて開けられていない時でもアクセス開口部の一部が既に形成されているため、リッドがボックスの残りの部分から分離された時のアクセス開口部の残りの部分の画定がより簡単になる。
【００２５】
内側上部パネルは、内側上部パネルの残りの部分からリッドを分離するための虚弱線を備えることが好ましい。
【００２６】
上述のいずれかの実施形態で、容器には、例えば、紙巻たばこ、葉巻たばこまたはシガリロなどの細長い喫煙物品が充填されることが好ましい。当然のことながら、寸法を適切に選択することにより、本発明による容器は、異なる数の従来サイズ、キングサイズ、スーパーキングサイズ、スリムまたはスーパースリムの紙巻たばこ用に設計しうる。ただし、本発明による容器は、喫煙物品以外の多様な消費財とも使用できる。
【００２７】
本発明による容器を、厚紙、板紙、プラスチック、金属、またはこれらの組み合わせが挙げられるがこれに限定されない任意の好適な材料でできている層状ブランクを折り曲げることによって、便利に製造することができる。容器を一つ以上の折り曲げられた層状の厚紙ブランクから形成することが好ましい。厚紙の重さは、約１００グラム／平方メートル〜約３５０グラム／平方メートルであることが好ましい。より詳細には、本発明による容器は、一般に標準的な製造設備を使用して従来の方法で、１つ以上の層状ブランクを消費者物品の周りで折り曲げ、容器を組み立てられた形状に保持するために覆う層状ブランクの上にあるパネルを一緒にシールすることによって組み立てられる。これは、従来的な接着剤または粘着剤を使用して達成されうる。
【００２８】
本発明による容器は、長軸方向の直角の端および横断する直角の端を持つ直方体の形状のボックス部分を含みうる。別の方法として、ボックス部分は一つ以上の長軸方向の丸み付きの端、横断する丸み付きの端、長軸方向の面取り付きの端または横断する面取り付きの端、またはその組み合わせを含みうる。例えば、本発明による容器は、限定されないが以下を含みうる。
−前部壁の１つまたは２つの長軸方向の丸み付きの端または面取り付きの端、および／または後部壁の１つまたは２つの長軸方向の丸み付きの端または面取り付きの端。
−前部壁の１つまたは２つの横断する丸み付きの端または面取り付きの端、および／または後部壁の１つまたは２つの横断する丸み付きの端または面取り付きの端。
−前部壁の１つの長軸方向の丸み付きの端および１つの長軸方向の面取り付きの端、および／または後部壁の１つの横断する方向の丸み付きの端および１つの横断する方向の面取り付きの端。
−前部壁の１つまたは２つの横断する丸み付きの端または面取り付きの端、および後部壁の１つまたは２つの長軸方向の丸み付きの端または面取り付きの端。
−第一の側壁の２つの長軸方向の丸み付きまたは面取り付きの端、または第二の側壁の２つの横断する方向の丸み付きまたは面取り付きの端。
【００２９】
容器が一つ以上の丸み付きの端を含み、一つ以上の層状ブランクから製作されている場合、ブランクは、組み立てられた容器内でそれぞれの丸み付きの端を形成する３、４、５、６または７本の横罫線または縦罫線を含むことが好ましい。横罫線または縦罫線は、容器の内側、または容器の外側のいずれかとしうる。横罫線または縦罫線は、互いに約０．３ｍｍ〜４ｍｍの間隔を持つことが好ましい。
【００３０】
縦罫線または横罫線の間隔は、層状ブランクの厚みの関数であることが好ましい。縦罫線または横罫線の間隔は、層状ブランクの厚みの約０．５〜約４倍であることが好ましい。
【００３１】
容器のボックス部分が１つ以上の面取り付きのエッジを含む場合、面取り付きの端の幅は、約１ｍｍ〜約１０ｍｍであることが好ましく、約２ｍｍ〜約６ｍｍであることが好ましい。別の方法として、容器は、２つの明確な面取りが容器の端上に形成されるように間隔を置いた、３本の平行な縦罫線または横罫線により形成された二重面取りを含みうる。
【００３２】
容器のボックス部分が面取り付きの端を含み、１つ以上の層状ブランクから製作されている場合、面取りは、層状ブランクにある２本の平行な縦罫線または横罫線により形成されうる。縦罫線または横罫線は、第一の壁と第二の壁の間の端に対して対称的に配置しうる。別の方法として、縦罫線または横罫線は、面取りが容器第二の壁内よりも容器の第一の壁内に深く達するように、第一の壁と第二の壁の間の端に対して非対称的に配列しうる。
【００３３】
その寸法の適切な選択によって、本発明による容器は、異なる合計数の喫煙物品、または異なる配置の喫煙物品を保持するよう設計しうる。例えば、その寸法の適切な選択によって、本発明による容器は、合計１０〜２０個の喫煙物品を保持するよう設計しうる。
【００３４】
容器内の喫煙物品は、喫煙物品の合計数に応じて、異なる並べ方で配置しうる。例えば、喫煙物品は、６、７、８、９または１０個の１列で配置しうる。別の方法として、喫煙物品は２列以上で配置しうる。２列以上の列は、同一の数の喫煙物品を含みうる。例えば、喫煙物品は、５、６、７、８、９もしくは１０個の２列、５もしくは７個の３列、または４、５もしくは６個の４列で配置しうる。別の方法として、２列以上の列は、互いに異なる数の喫煙物品を含む少なくとも２列を含みうる。例えば、喫煙物品は、５個の１列および６個の１列（５−６）、６個の１列および７個の１列（６−７）、７個の１列および８個の１列（７−８）、５個の中央の１列および６個の両外側の２列（６−５−６）、５個の中央の１列および７個の両外側の２列（７−５−７）、６個の中央の１列および５個の両外側の２列（５−６−５）、６個の中央の１列および７個の両外側の２列（７−６−７）、７個の中央の１列および６個の両外側の２列（６−７−６）、９個の中央の１列および８個の両外側の２列（８−９−８）、または６個の中央の１列、５個の一方の外側の１列および７個の一方の外側の１列（５−６−７）で配置しうる。
【００３５】
本発明による容器は、同一のタイプまたはブランドの、または異なるタイプまたはブランドの喫煙物品を保持しうる。さらに、フィルターなし喫煙物品および各種フィルターチップ付きの喫煙物品の両方を含みうるほか、異なる長さ（例えば、約４０ｍｍ〜約１８０ｍｍ）、直径（例えば、約４ｍｍ〜約９ｍｍ）の喫煙物品も含みうる。さらに、喫煙物品は、味覚の強度、引き出し抵抗および合計粒子状物質の送達が異なりうる。容器の寸法は、喫煙物品の長さ、および喫煙物品の並べ方に適合させることが好ましい。一般に、容器の外側寸法は通常、容器内に収容された喫煙物品の束の寸法よりも約０．５ｍｍ〜約５ｍｍだけ大きい。
【００３６】
本発明による容器の高さは約６０ｍｍ〜約１５０ｍｍであることが好ましく、高さが約７０ｍｍ〜約１２５ｍｍであることがより好ましいが、ここで高さは、容器の上部壁から底部壁までを測定したものである。
【００３７】
本発明による容器の幅は約１２ｍｍ〜約１５０ｍｍであることが好ましく、幅が約７０ｍｍ〜約１２５ｍｍであることがより好ましいが、ここで幅は、容器の一方の側壁から他方の側壁までを測定したものである。
【００３８】
本発明による容器の奥行きは約６ｍｍ〜約１００ｍｍであることが好ましく、奥行きが約１２ｍｍ〜約２５ｍｍであることがさらに好ましいが、ここで奥行きは、容器の前部壁から後部壁までを測定したものである（ボックスとリッドの間のヒンジを含む）。
【００３９】
容器の高さ対容器の奥行きの比は、約０．３対１〜約１０対１であることが好ましく、約２対１〜約８対１であることがさらに好ましく、約３対１〜５対１であることが最も好ましい。容器の幅対容器の奥行きの比は、約０．３対１〜約１０対１であることが好ましく、約２対１〜約８対１であることがさらに好ましく、約２対１〜３対１であることが最も好ましい。
【００４０】
本発明による容器は、例えば、高密度または低密度のポリエチレン、ポリプロピレン、方向性ポリプロピレン、ポリ塩化ビニリデン、セルロースフィルム、または従来的な方法でのその組み合わせの透明高分子フィルムで、収縮包装またはそれ以外の方法でオーバーラップされる。本発明による容器がオーバーラップされる場合、オーバーラッパーは１つ以上のティアテープを含みうる。さらに、オーバーラッパーは画像、消費者情報またはその他のデータとともに印刷しうる。追加の外側ラッパーは有利なことに、例えば、取り扱い中の摩損に対して容器の表面を保護しうる。
【００４１】
本発明による容器の外部表面は、製造元またはブランドのロゴ、商標、スローガンおよびその他の消費者情報およびしるしで、印刷、エンボス加工、デボス加工またはその他の方法で装飾しうる。
【００４２】
本発明による消費者物品のための容器を形成するための層状ブランクは、容器のボックス部分を形成するためのボックス画定ブランク部分を備える。ボックス画定ブランク部分は、容器のボックス後部壁を形成するための後部壁パネルと、容器のボックス前部壁を形成するための前部壁パネルと、容器の上部壁を形成するための上部壁パネルと、容器の底部壁を形成するための底部壁パネルと、を備える。ボックス画定部分は、タブが前記ボックス画定部分から取り外し可能になってヒンジ線に沿って後部壁パネルに従属するリッドを形成するように、前部壁パネルおよび上部壁パネルを横切って延びる分離線を備える。さらに、ブランクは、リッドの遠位端を開放可能に保持するための手段を備える第二の前方パネルを備える。
【００４３】
一部の実施形態では、第二の前方パネルは折り目に沿って底部壁パネルに従属する。その他の実施形態では、上部壁パネルは折り目に沿って後部壁パネルに従属し、またブランクは折り目に沿って前部壁パネルに従属する強化パネルをさらに備える。さらに、第二の前方パネルは折り目に沿って強化パネルに従属する。
【００４４】
保持する手段は、第二の前方パネル内に形成され、タブの遠位端を開放可能に受容するように適合されたスリットまたはスロットを含むことが好ましい。
【００４５】
本発明は、以下の添付図面を参照しながら、例証としてのみではあるがさらに記述する。
【図面の簡単な説明】
【００４６】
【図１】図１は、本発明による容器が初めて開かれる前の概略的な斜視図である。
【図２】図２は、消費者によって開けられている図１の容器の別の概略的な斜視図である。
【図３】図３は、リッドが開位置で回転している図１および図２の容器の別の概略的な斜視図である。
【図４】図４は、リッドがその閉位置へと戻るように回転している図１〜図３の容器のさらに別の概略的な斜視図である。
【図５】図５は、図１〜図４の容器を形成するためのブランクの上面図である。
【発明を実施するための形態】
【００４７】
図１〜図４に示されている容器１００は、直方体として成形され、また消費者物品１０２を収容するためのボックス１０１を備えている。図１〜図４の実施形態では、消費者物品は紙巻たばこなどの細長い喫煙物品である。ボックス１０１は、ボックス前部壁１０３、ボックス後部壁１０４、およびボックス上部壁１０５を備える。
【００４８】
リッド１０６は、ボックス前部壁１０３内およびボックス上部壁１０５内に分離線１０７によって画定される。こうして、リッド１０６は、３つの側面上でボックスの残りの部分から分離可能である。ボックスの残りの部分から分離すると、リッド１０６はヒンジ線１０８を中心として、開位置（例として図３を参照のこと）と閉位置（図４を参照のこと）との間で回転可能である。さらに、容器１００は、ボックス前部壁１０３の下にありその前部壁に付着された第二の前方パネル１０９をさらに備える。第二の内側前方パネル１０９は、リッド１０６がボックス１０１から分離されている時、リッド１０６を閉位置で開放可能に保つための再閉鎖手段１１０を備える。
【００４９】
より詳細には、ボックス上部壁１０５は内側上部パネル１０５１および外側上部パネル１０５２から形成される。内側上部パネル１０５１と外側上部パネル１０５２は互いに重なって付着されている。さらに、外側上部パネル１０５２は、ヒンジ線１０８に沿ってボックス後部壁１０４に従属し、また内側前方パネル１０９は、折り目に沿って内側上部パネル１０５１に従属する。図１〜図４に示すように、分離線１０７は、外側上部パネル１０５２およびボックス前部壁１０２の一部を横切って延びる。再閉鎖手段１１０は、内側前方パネル１０９内に形成され、かつリッド１０６の遠位端を開放可能に受容し保持する適合されたスリットを備える。その他の実施形態（図示せず）では、スリットを、スロットによって、または上述のようなフックアンドループファスナーもしくは磁気保持手段などの他の再閉鎖手段によって、置き換えてもよい。容器１００が最初に開けられる前、リッド１０６は、スリットの上に延びている（図１を参照のこと）。容器を初めて開けるためには、消費者は、例えば、リッド１０６の遠位端を保持し、この遠位端をボックス前部壁１０３から離れるように引っ張ることによってボックスの残りの部分からリッド１０６を分離する。こうして、分離線１０７に沿ってリッド１０６をボックス前部壁１０３およびボックス上部壁１０５に接続している結合部が破壊される（図２を参照のこと）。こうして、容器１００が以前に開けられたかどうかを消費者が点検するのが簡単である。実際には、ボックス前部壁１０３の完全性はボックス１０１からリッド１０６がまだ分離されていないこと、したがって容器１００が不正開封されていないことを消費者に示すことになる。
【００５０】
リッド１０６を便利に開位置へと回転することができる（図３を参照のこと）。さらに、容器１００が開かれる時は毎回、リッド１０６を回転して閉位置へと戻すことができ、これは容器１００の上端部にあるアクセス開口部へのアクセスを防止し、また遠位端１０６はスリットの中へと受容され（図４を参照のこと）、こうして容器１００の安全な再閉鎖を確保する。
【００５１】
図１〜図４の実施形態では、内側前方パネルは内側リッド上部パネル１０５１に隣接する切り抜き１１２を備え、これにより容器１００の上部のアクセス開口部は切り抜き１１２によって部分的に画定される。さらに、内側上部パネル１０５１内に虚弱線１１３が提供される。こうして、内側上部パネル１０５１の近位部分１１４は、リッド１０６がボックス１０１の残りの部分から分離された時に、外側上部パネル１０５２の部分もリッド１０６を形成しながら簡単にヒンジ線１０８を中心に自由に回転するように画定される。特に、図１〜図４の実施形態では、虚弱線１１３は、事前に切り込みを入れた線である。従って、内側上部パネル１０５１の近位部分１１４は、容器１００を初めて開ける前でも実質的にヒンジ線１０８を中心として自由に回転する。こうして、容器１００の上部アクセス開口部を効果的に露出するためには、消費者は、内側上部パネル１０５１内の結合部を破壊する必要はなく、リッド１０６の一部を形成する外側上部パネル１０５２の部分をボックスの残りの部分から分離するために十分な力を行使することのみが必要である。同時に、ボックス上部壁１０５は２つの重ね合わせられたパネルによって形成されているため、容器１００の上部部分の強度が改善される。
【００５２】
代替的な実施形態（図示せず）では、容器は少なくとも部分的に消費者物品の周りに巻かれる内側フレームを備えてもよい。これは、容器に対してさらなる剛直性を提供し、かつ消費者物品を保護しうる。本発明による容器のこの代替的な実施形態は、内側フレームの前方パネルが第二の（内側）前方パネルを画定し、これによって内側フレームの前方パネル内に提供される手段を保持するためにリッドが再閉鎖され固定されうる、という点で、上述の容器１００とは異なる。
【００５３】
図１〜図４の容器１００は、図５に図示される単一の層状ブランク５００から形成される。図５では、実線は切断線を示し、破線は折り目を示す。さらに、灰色の区域は、例として、以下に説明するように容器１００を形成する時にブランク５００の重なるパネルを貼り付けるために接着剤の層を適用しうる部分を示す。
【００５４】
ブランク５００は、容器１００のボックス１０１を形成するためのボックスブランク部分５０１を備える。ボックスブランク部分５０１は、前部壁パネル５０２、後部壁パネル５０３、および底部壁パネル５０４を備える。２つの側面パネル５０８は、前部壁パネル５０２から延び、２つの側面パネル５１０は後部壁パネル５０３から延び、２つのボックスダストフラップ５０９は底部壁パネル５０４から延びる。容器１００のボックス１０１をボックスブランク部分５０１から組み立てるとき、前部壁パネル５０１は前部壁１０３を形成し、後部壁パネル５０３は後部壁１０４を形成し、側壁パネル５０８と５１０とは重なって左右の側壁を形成し、ボックスダストフラップ５０９は底部壁パネル５０４と重なって底部壁を形成する。側壁パネル５０８、５１０は相互に実質的に同一のサイズおよび形状である。容器１００が形成された時、側壁パネル５０８、５１０は互いに真上にあり、それらの自由端は実質的に整列しており、これにより内側側壁パネルはほとんど見ることができない。ボックスダストフラップ５０９は、底部壁パネル５０４より小さい。容器１００が形成された時、ボックスダストフラップ５０９は底部壁パネル５０４の内側になる。これらは容器の底部壁に追加的な構造的な支持を提供するが、容器の外側からは見えない。
【００５５】
ブランク５００は、容器１００のボックス上部壁１０５を形成するために上部壁パネル５０５をさらに備える。上部壁パネル５０５は、折り目に沿って前部壁パネル５０２に従属する。分離線１０７は、前部壁パネル５０２および上部壁パネル５０５にわたって延びるため、タブ５０６はボックスブランク部分５０１から分離可能である。さらに、ブランク５００は上部壁強化パネル５０７および第二の前方パネル５０８を備える。上部壁強化パネル５０７は、折り目に沿って後部壁パネル５０３に従属する。第二の前方パネル５０８は、折り目に沿って上部壁強化パネル５０７に従属する。上部壁パネル５０５と上部壁強化パネル５０７とは、実質的に同一の形状およびサイズである。ボックスブランク部分５０１から容器１００のボックス１０１が組み立てられる時、上部壁パネル５０５は上部壁強化パネル５０７に重なって貼り付けられてボックス上部壁１０５を形成し、このためタブ５０６が前部壁パネル５０２および上部壁パネル５０５から分離される時、タブ５０６は、上部壁強化パネル５０８が後部壁パネル５０３に従属する際に沿う折り目によって画定されるヒンジ線に沿ってボックス後部壁５０３に従属する。
【００５６】
第二の前方パネル５０８は、容器１００のアクセス開口部を部分的に画定するために上部壁強化パネル５０７に隣接して切り抜き５１２を備える。さらに、中央舌５１４を画定するために上部壁強化パネル５０７内に事前に切り込みを入れた線５１３が提供される。２つのボックスダストフラップ５１１は側面パネル５１０から延びる。
【００５７】
容器１００のボックス１０１がボックスブランク部分５０１から組み立てられる時、中央舌５１４はタブ５０６の下になり、また、例えば接着剤を用いてタブ５０６に貼り付けられる。こうして、実際には、中央舌５１４およびタブ５０６が容器１００のリッド１０６を形成する。リッド１０６が閉位置から開位置へと回転する時、中央舌５１４は上部壁強化パネル５０７の残りの部分によって画定される平面から回転して出て、容器１００の上部開口部にアクセス可能になる。ボックスダストフラップ５１１は上部壁強化パネル５０７より小さいため、その結果、容器１００が形成される時に、ボックスダストフラップ５１１は、容器１００の上部開口部を妨害することなく上部壁強化パネル５０７の内側になる。ボックスダストフラップ５１１は、容器１００のボックス上部壁１０５に対して追加的な構造支持を提供するが、容器の外側からは見えない。
【００５８】
第二の前方パネル５０８はスリット５１５を備える。容器１００のボックス１０１がボックスブランク部分５０１から組み立てられる時、タブ５０６はスリット５１５の上に延びる。ボックス１０１の残りの部分からリッド１０６が最初に分離された時にスリット５１５が露出され、容器１０１を簡単かつ安全に再閉鎖することができるようにタブ５０６の遠位端を受容できるようになる。
【００５９】
本発明によるブランクの代替的な実施形態（図示せず）では、ブランクは折り目に沿ってボックス底部壁に従属する第二の前方パネルを備えてもよい。
【図１】
2017532259.tif 000003
【図２】
2017532259.tif 000004
【図３】
2017532259.tif 000005
【図４】
2017532259.tif 000006
【図５】
2017532259.tif 000007
【国際調査報告】
2017532259.tif 000008
2017532259.tif 000009